(57)【要約】【課題】通信信号の通信経路の切り替え処理の時間を短縮する。【解決手段】ＯＬＴ１は、通信信号を出力する現用系ＰＯＮインタフェース部７と、予備系ＰＯＮインタフェース９部と、切替制御信号を送信する制御部６とを備える。現用系ＰＯＮインタフェース部７は、メモリ１４と、切替制御信号に従ってデータ転送の指示を出すＣＰＵ１３と、ＣＰＵ１３とは異なる少なくとも１つのハードウェアで構成された通信制御部１８とを有し、通信経路の切り替えのとき、通信制御部１８は、ＣＰＵ１３からの指示に従ってメモリ１４に記憶されたデータを読み出し、予備系ＰＯＮインタフェース部９に向けて転送する。【選択図】図３
2018014621.tif 000002
【特許請求の範囲】
【請求項１】
通信信号を出力する現用系インタフェース部と、
予備系インタフェース部と、
前記現用系インタフェース部と前記予備系インタフェース部との間で前記通信信号の通信経路の切り替えを制御するための切替制御信号を送信する制御部と
を備え、
前記現用系インタフェース部は、
第１のメモリと、
前記制御部からの前記切替制御信号に従ってデータ転送の指示を出す第１の中央処理装置と、
前記第１の中央処理装置とは異なる少なくとも１つのハードウェアで構成された第１の通信制御部と
を有し、
前記通信経路の切り替えのとき、前記第１の通信制御部は、前記第１の中央処理装置からの前記指示に従って前記第１のメモリに記憶されたデータを読み出し、前記予備系インタフェース部に向けて転送する
ことを特徴とする通信装置。
【請求項２】
前記第１の通信制御部は、ダイレクトメモリアクセス方式によって前記データの転送を行う第１の制御回路を有することを特徴とする請求項１に記載の通信装置。
【請求項３】
前記第１の通信制御部は、前記第１の中央処理装置とは異なるハードウェアで構成されたフレーム送信部を有し、
前記フレーム送信部は、前記第１の制御回路から入力された前記データの転送を行う
ことを特徴とする請求項２に記載の通信装置。
【請求項４】
前記現用系インタフェース部と前記予備系インタフェース部とは、イーサネットにより互いに通信可能であり、
前記フレーム送信部は、前記第１の制御回路から入力された前記データを、イーサネットフレームを用いて転送することを特徴とする請求項３に記載の通信装置。
【請求項５】
前記フレーム送信部は、前記現用系インタフェース部から出力される前記イーサネットフレームの優先度を、前記イーサネットフレームに付与することを特徴とする請求項４に記載の通信装置。
【請求項６】
前記現用系インタフェース部は、通信障害の発生を検出する障害検出部をさらに有し、
前記障害検出部は、前記通信障害の発生を検出したときに、前記通信障害の発生を前記制御部に通知する
ことを特徴とする請求項１から５のいずれか１項に記載の通信装置。
【請求項７】
前記現用系インタフェース部は、前記制御部から周期的に送信される管理信号を受信する管理部をさらに有し、
前記管理部が前記制御部からの前記管理信号を受信できないとき、前記現用系インタフェース部は、前記制御部の故障の発生を前記予備系インタフェース部に通知し、
前記予備系インタフェース部は、前記通信経路の切り替えを前記現用系インタフェース部と共に行う請求項１から６のいずれか１項に記載の通信装置。
【請求項８】
前記現用系インタフェース部は、前記通信信号としての光信号の送信及び受信を行う第１の光送受信器を有することを特徴とする請求項１から７のいずれか１項に記載の通信装置。
【請求項９】
前記予備系インタフェース部は、
第２のメモリと、
前記第２のメモリに記憶されたデータに基づいて前記予備系インタフェース部の設定を行う第２の中央処理装置と、
前記第２の中央処理装置とは異なる少なくとも１つのハードウェアで構成された第２の通信制御部と
を有し、
前記第２の通信制御部は、前記現用系インタフェース部から受信したデータを前記第２のメモリに書き込む
ことを特徴とする請求項１から８のいずれか１項に記載の通信装置。
【請求項１０】
前記第２の通信制御部は、ダイレクトメモリアクセス方式によって前記データの書き込みを行う第２の制御回路を有することを特徴とする請求項９に記載の通信装置。
【請求項１１】
前記第２の通信制御部は、前記第２の中央処理装置とは異なるハードウェアで構成されたフレーム受信部を有し、
前記フレーム受信部は、前記現用系インタフェース部から受信した前記データを前記第２の制御回路に転送する
ことを特徴とする請求項１０に記載の通信装置。
【請求項１２】
前記第２のメモリは、前記現用系インタフェース部から一定時間ごとに送信される前記データが書き込まれる少なくとも１つのメモリ領域を有し、
前記現用系インタフェース部は、前記第１のメモリに記憶されているデータを、一定時間ごとに前記予備系インタフェース部に送信し、
前記通信経路の切り替えを行うとき、前記第２の中央処理装置は、前記少なくとも１つのメモリ領域に記憶された前記データを読み出し、前記メモリ領域から読み出されたデータに基づいて前記予備系インタフェース部の設定を行う
ことを特徴とする請求項９から１１のいずれか１項に記載の通信装置。
【請求項１３】
前記予備系インタフェース部は、前記通信信号としての光信号の送信及び受信を行う第２の光送受信器を有することを特徴とする請求項９から１２のいずれか１項に記載の通信装置。
【請求項１４】
現用系インタフェース部及び予備系インタフェース部を有する局側光終端装置と、前記局側光終端装置と通信可能な加入者側光終端装置とを備える通信システムにおける通信経路切替方法であって、
前記現用系インタフェース部は、第１のメモリと、第１の中央処理装置と、前記第１の中央処理装置とは異なるハードウェアで構成された第１の制御回路とを有し、
前記予備系インタフェース部は、第２のメモリと、第２の中央処理装置と、前記第２の中央処理装置とは異なるハードウェアで構成された第２の制御回路とを有し、
前記現用系インタフェース部から前記予備系インタフェース部への通信経路の切り替えを行うときに、前記現用系インタフェース部において、ダイレクトメモリアクセス方式によって前記第１のメモリに記憶されているデータの読み出し及び前記予備系インタフェース部への転送を行うステップと、
前記予備系インタフェース部において、前記現用系インタフェース部から受信した前記データを、ダイレクトメモリアクセス方式によって前記第２のメモリへの書き込みを行うステップと、
前記第２のメモリに書き込まれた前記データに基づいて、前記予備系インタフェース部の設定を行うステップと
を備える通信経路切替方法。
【発明の詳細な説明】
【技術分野】
【０００１】
本発明は、通信信号の通信経路の切り替えが可能な通信装置に関する。
【背景技術】
【０００２】
通信システムでは、通信障害が発生した場合でも通信の継続が可能であるように冗長構成を取っている場合がある。例えば、通信システムの１つとしてＰＯＮ（Ｐａｓｓｉｖｅ  Ｏｐｔｉｃａｌ  Ｎｅｔｗｏｒｋ）システムがある。例えば、特許文献１には、現用光終端ユニット（現用系ＰＯＮインタフェース）から予備光終端ユニット（予備系ＰＯＮインタフェース）への通信信号の通信経路の切り替えが可能な光終端システムが開示されている。
【先行技術文献】
【特許文献】
【０００３】
【特許文献１】特開２００７−３６９２６号公報
【発明の概要】
【発明が解決しようとする課題】
【０００４】
特許文献１に開示された光終端システムでは、通信障害が発生したときに、現用光終端ユニット内の構成要素に対する各種制御を行うＣＰＵ（中央処理装置：Ｃｅｎｔｒａｌ  Ｐｒｏｃｅｓｓｉｎｇ  Ｕｎｉｔ）が、通信経路の切り替えのための管理情報（引き継ぎデータ）をＲＡＭ（Ｒａｎｄｏｍ  Ａｃｃｅｓｓ  Ｍｅｍｏｒｙ）から読み出し、予備光終端ユニットに送信する。管理情報を受信した予備光終端ユニットのＣＰＵは、受信した管理情報をＲＡＭに書き込み、受信した管理情報を用いてＯＮＵ（加入者側光終端装置：Ｏｐｔｉｃａｌ  Ｎｅｔｗｏｒｋ  Ｕｎｉｔ）と上位ネットワークとの間の通信を引き継ぐ。しかしながら、通信経路を切り替える際に、光終端ユニット内の各種制御を行うＣＰＵが管理情報の転送などの処理を行うと、ＣＰＵの負荷が大きいため、他のタスク処理ができなくなったり、データ転送の速度が遅くなり、予備光終端ユニットによる通信の再開までに時間を要するという問題があった。
【０００５】
そこで、本発明の目的は、通信信号の通信経路の切り替え処理の時間を短縮することである。
【課題を解決するための手段】
【０００６】
本発明の通信装置は、通信信号を出力する現用系インタフェース部と、予備系インタフェース部と、前記現用系インタフェース部と前記予備系インタフェース部との間で前記通信信号の通信経路の切り替えを制御するための切替制御信号を送信する制御部とを備え、前記現用系インタフェース部は、第１のメモリと、前記制御部からの前記切替制御信号に従ってデータ転送の指示を出す第１の中央処理装置と、前記第１の中央処理装置とは異なる少なくとも１つのハードウェアで構成された第１の通信制御部とを有し、前記通信経路の切り替えのとき、前記第１の通信制御部は、前記第１の中央処理装置からの前記指示に従って前記第１のメモリに記憶された前記データを読み出し、前記予備系インタフェース部に向けて転送することを特徴とする。
【発明の効果】
【０００７】
本発明によれば、通信信号の通信経路の切り替え処理の時間を短縮することができる。
【図面の簡単な説明】
【０００８】
【図１】本発明の実施の形態１に係るＯＬＴ（局側光終端装置：Ｏｐｔｉｃａｌ  Ｌｉｎｅ  Ｔｅｒｍｉｎａｌ）を備えたＰＯＮシステムの構成を示す図である。
【図２】ＯＬＴ内における通信形態の一例を概略的に示すブロック図である。
【図３】ＰＯＮ−ＩＦ部の構成を概略的に示すブロック図である。
【図４】ＯＬＴにおける通信経路の切り替え処理を示すフローチャートである。
【図５】変形例に係るＯＬＴ内における通信形態を概略的に示すブロック図である。
【図６】変形例に係るＯＬＴのＰＯＮ−ＩＦ部の構成を概略的に示すブロック図である。
【図７】本発明の実施の形態２に係るＯＬＴのＰＯＮ−ＩＦ部の構成を概略的に示すブロック図である。
【図８】実施の形態２に係るＯＬＴにおける通信経路の切り替え処理を示すフローチャートである。
【図９】本発明の実施の形態３に係るＯＬＴの予備系ＰＯＮインタフェース部の構成を概略的に示すブロック図である。
【図１０】引き継ぎデータの転送処理を示すフローチャートである。
【図１１】実施の形態３に係るＯＬＴにおける通信経路の切り替え処理を示すフローチャートである。
【発明を実施するための形態】
【０００９】
実施の形態１．
図１は、本発明の実施の形態１に係る通信装置としてのＯＬＴ１を備えた通信システムとしてのＰＯＮシステムの構成を示す図である。
【００１０】
図１に示されるＰＯＮシステムは、Ｎ：１のＰＯＮプロテクション機能を持つ。Ｎ：１のＰＯＮプロテクション機能は、現用系として動作するＮ個（Ｎは自然数）のＰＯＮインタフェース部（ＰＯＮ−ＩＦ部）のうちのいずれか１系統で通信障害が発生した場合に、例えば、光スイッチにより現用系ＰＯＮインタフェース部から予備系ＰＯＮインタフェース部に通信信号の通信経路を切り替える機能である。現用系ＰＯＮインタフェース部の配下に接続されたＯＮＵを予備系ＰＯＮインタフェース部に接続することにより、通信障害が発生した場合でも、通信の継続が可能になる。ただし、本発明は、１：１プロテクション構成のＰＯＮシステムにも適用可能である。
【００１１】
実施の形態１に係るＰＯＮシステムは、ＯＬＴ１と、少なくとも１つのＯＮＵ２とを有する。ＯＬＴ１及びＯＮＵ２は、光ファイバ４を介して接続されており、通信信号としての光信号を用いて互いに通信可能である。光ファイバ４は、幹線光ファイバ４ａと支線光ファイバ４ｂとを含む。幹線光ファイバ４ａは、光スプリッタ３によって、複数の支線光ファイバ４ｂに分岐されている。これにより、ＯＬＴ１及び光スプリッタ３は、幹線光ファイバ４ａを介して接続されており、ＯＮＵ２及び光スプリッタ３は、支線光ファイバ４ｂを介して接続されている。
【００１２】
ＯＬＴ１は、主制御部としての制御部６と、複数の現用系インタフェース部（第１のインタフェース部）としての複数の現用系ＰＯＮインタフェース部７（ＰＯＮ−ＩＦ部＃１，＃２，…，＃Ｎ；Ｎは自然数）と、光スイッチ部８（光ＳＷ部）と、予備系インタフェース部（第２のインタフェース部）としての予備系ＰＯＮインタフェース部９（ＰＯＮ−ＩＦ部＃Ｎ＋１）と、ＳＷ−ＩＦ（スイッチインタフェース）部１０とを有する。
【００１３】
ＯＬＴ１は、Ｎ：１（Ｎは自然数）のＰＯＮプロテクションを採用している。すなわち、ＯＬＴ１は、Ｎ個の現用系ＰＯＮインタフェース部７を有する。Ｎ個の現用系ＰＯＮインタフェース部７のいずれかに通信障害が発生した場合、切り替え対象の現用系ＰＯＮインタフェース部７（通信障害が発生したＰＯＮ−ＩＦ部）から、予備系ＰＯＮインタフェース部９に、通信経路を切り替えるための引き継ぎデータ（転送データ）が転送される。
【００１４】
制御部６は、ＯＬＴ１内の各構成要素と互いに通信可能に接続されており、その各構成要素を制御する。制御部６は、例えば、光スイッチ部８の光スイッチ８ｂを制御し、ＯＬＴ１内で伝送される通信信号の通信経路を切り替えることができる。例えば、いずれかの通信回線（すなわち、いずれかのＰＯＮ−ＩＦ部）に通信障害が発生したときに、制御部６は、現用系ＰＯＮインタフェース部７と予備系ＰＯＮインタフェース部９との間で通信信号の通信経路の切り替えを制御するための切替制御信号（切替通知）を、ＰＯＮ−ＩＦ部に送信する。さらに、通信障害を起因とする切り替え処理のみでなく、例えば、ＰＯＮ−ＩＦ部を交換するときなどにおいて、ＯＬＴ１のユーザが、制御部６に指示を与えることによって、意図的に通信経路の切り替え処理を行うことができる。
【００１５】
現用系ＰＯＮインタフェース部７は、光スイッチ部８を介して光ファイバ４（具体的には、幹線光ファイバ４ａ）と接続されている。現用系ＰＯＮインタフェース部７は、現用系として動作する。現用系ＰＯＮインタフェース部７は、データを伝達するための通信信号（例えば、イーサネット（登録商標）フレーム）を出力する。
【００１６】
予備系ＰＯＮインタフェース部９は、光スイッチ部８の光スイッチ８ｂを介して光ファイバ４（具体的には、幹線光ファイバ４ａ）と接続されている。予備系ＰＯＮインタフェース部９は、予備系としてＯＬＴ１に備えられている。予備系ＰＯＮインタフェース部９は、データを伝達するための通信信号（例えば、イーサネット（登録商標）フレーム）を出力可能である。予備系ＰＯＮインタフェース部９は、通信経路の切り替え処理後に、発光（光信号の生成）の指示である発光開始通知を、制御部６から受信するまで消光状態（光信号の生成の停止状態）である。
【００１７】
光スイッチ部８は、少なくとも１つの光スプリッタ８ａと、光スイッチ８ｂとを有する。光スプリッタ８ａは、信号線を２つの経路に分岐する。現用系ＰＯＮインタフェース部７は、光スプリッタ８ａと接続されており、予備系ＰＯＮインタフェース部９は、光スイッチ８ｂと接続されている。
【００１８】
現用系ＰＯＮインタフェース部７及び予備系ＰＯＮインタフェース部９は、ＳＷ−ＩＦ部１０に接続されており、ＳＷ−ＩＦ部１０を介して上位ネットワークと接続されている。現用系ＰＯＮインタフェース部７及び予備系ＰＯＮインタフェース部９は、通信経路を切り替える際にデータ転送を行うために互いに接続されており、イーサネット（登録商標）により互いに通信可能である。
【００１９】
図２は、ＯＬＴ１内における通信形態の一例を概略的に示すブロック図である。
ＯＬＴ１内において、制御部６及び各構成要素は、ＰｔｏＰ（ポイントツーポイント）で接続されており、各現用系ＰＯＮインタフェース部７及び予備系ＰＯＮインタフェース部９も、ＰｔｏＰで接続されている。したがって、制御部６と各ＰＯＮ−ＩＦ部との間の通信形態と、各現用系ＰＯＮインタフェース部７と予備系ＰＯＮインタフェース部９との間の通信形態（通信経路の切り替え処理におけるデータ転送の通信形態）とが互いに異なっていてもよい。
【００２０】
図３は、各ＰＯＮ−ＩＦ部（現用系ＰＯＮインタフェース部７及び予備系ＰＯＮインタフェース部９の各々）の構成を概略的に示すブロック図である。現用系ＰＯＮインタフェース部７及び予備系ＰＯＮインタフェース部９の構成（構成要素）は互いに同じであり、動作条件、すなわち現用系であるか予備系であるかが互いに異なる。
【００２１】
各ＰＯＮ−ＩＦ部は、障害検出部１１と、光送受信器１２と、ＣＰＵ１３と、メモリ１４と、通信制御部１８と、ＭＵＸ／ＤＥＭＵＸ（マルチプレクサ／デマルチプレクサ）部１９と、バス２０とを有する。
【００２２】
通信制御部１８は、ＣＰＵ１３とは異なる少なくとも１つのハードウェアで構成されている。本実施の形態では、通信制御部１８は、それぞれハードウェアで構成された、制御回路としてのＤＭＡＣ（ダイレクトメモリアクセスコントローラ：Ｄｉｒｅｃｔ  Ｍｅｍｏｒｙ  Ａｃｃｅｓｓ  Ｃｏｎｔｒｏｌｌｅｒ）１５と、フレーム送信部１６（イーサネット（登録商標）フレーム送信部）と、フレーム受信部１７（イーサネット（登録商標）フレーム受信部）とを有する。
【００２３】
障害検出部１１は、図１に示されるＰＯＮシステムにおける通信障害の発生を検出することができる。例えば、通信障害は、光送受信器１２の故障によるリンクダウン、現用系ＰＯＮインタフェース部７の故障、又は光ファイバ４（特に、幹線光ファイバ４ａ）の損傷による回線劣化などによって生じる障害である。ただし、これら以外の障害の発生をトリガとして通信障害を検出してもよい。障害検出部１１は、通信障害の発生を検出したときに、その通信障害の発生を制御部６に通知する。
【００２４】
光送受信器１２（現用系ＰＯＮインタフェース部７における第１の光送受信器及び予備系ＰＯＮインタフェース部９における第２の光送受信器）は、通信信号としての光信号を、光ファイバ４を通してＯＮＵ２に送信することができ、ＯＮＵ２から受信することができる。
【００２５】
ＣＰＵ１３は、バス２０に接続されている。ＣＰＵ１３は、ＰＯＮ−ＩＦ部内の各構成要素を制御し、ＰＯＮ−ＩＦ部の設定などを行うことができる。
【００２６】
例えば、通信経路の切り替え処理のとき（例えば、制御部６から切替通知を受けたとき）、現用系ＰＯＮインタフェース部７では、ＣＰＵ１３（第１のＣＰＵ）は、制御部６からの切替通知に従って、現用系ＰＯＮインタフェース部７内のハードウェアで構成された各構成要素（例えば、ＤＭＡＣ１５）に対して、データ転送のための指示を出す。
【００２７】
例えば、通信経路の切り替え処理のとき、予備系ＰＯＮインタフェース部９では、ＣＰＵ１３（第２のＣＰＵ）は、メモリ１４に記憶されたデータ（現用系ＰＯＮインタフェース部７から受信した引き継ぎデータ）に基づいて予備系ＰＯＮインタフェース部９の設定（具体的には、予備系ＰＯＮインタフェース部９内の各構成要素に対する制御）を行う。
【００２８】
メモリ１４は、各種のデータ及びＣＰＵ１３によって実行されるプログラムを記憶する。メモリ１４に記憶されるデータとしては、例えば、現用系ＰＯＮインタフェース部７の設定情報及び現用系ＰＯＮインタフェース部７に接続されたＯＮＵ２の登録状態を示す情報である。メモリ１４は、例えば、ＤＲＡＭ（Ｄｙｎａｍｉｃ  Ｒａｎｄｏｍ  Ａｃｃｅｓｓ  Ｍｅｍｏｒｙ）である。
【００２９】
本実施の形態では、メモリ１４に対するデータの書き込み及び読み出しは、ハードウェアによるＤＭＡ（ダイレクトメモリアクセス：Ｄｉｒｅｃｔ  Ｍｅｍｏｒｙ  Ａｃｃｅｓｓ）方式を用いて通信制御部１８によって行われる。
【００３０】
ＤＭＡＣ１５は、ＣＰＵ１３とは異なるハードウェアで構成されている。ＤＭＡＣ１５は、ＤＭＡ方式によって、メモリ１４に記憶されたデータの読み出し及びメモリ１４へのデータの書き込み、並びにデータ転送を行うことができる。
【００３１】
例えば、通信経路の切り替えのとき、現用系ＰＯＮインタフェース部７では、第１の制御回路としてのＤＭＡＣ１５（第１のＤＭＡＣ）は、ＣＰＵ１３（第１のＣＰＵ）からの指示に従って、メモリ１４（第１のメモリ）に記憶されているデータ（引き継ぎデータ）をＣＰＵ１３の代わりに読み出し、予備系ＰＯＮインタフェース部９に向けて転送する。具体的には、ＤＭＡＣ１５によって読み出された引き継ぎデータは、フレーム送信部１６に転送される。
【００３２】
例えば、通信経路の切り替えのとき、予備系ＰＯＮインタフェース部９では、第２の制御回路としてのＤＭＡＣ１５（第２のＤＭＡＣ）は、現用系ＰＯＮインタフェース部７から受信したデータをメモリ１４（第２のメモリ）に書き込む。
【００３３】
フレーム送信部１６は、ＣＰＵ１３とは異なるハードウェアで構成されている。フレーム送信部１６は、例えば、ＤＭＡＣ１５から入力されたデータを、イーサネット（登録商標）フレーム（以下、単に「フレーム」ともいう）を用いて転送する機能を持つハードウェア（例えば、集積回路）である。各ＰＯＮ−ＩＦ部は、互いに異なるＭＡＣ（Ｍｅｄｉａ  Ａｃｃｅｓｓ  Ｃｏｎｔｒｏｌ）アドレスを持っており、フレーム送信部１６から送信されるフレームには、ＤＡ（Ｄｅｓｔｉｎａｔｉｏｎ  Ａｄｄｒｅｓｓ）及びＳＡ（Ｓｏｕｒｃｅ  Ａｄｄｒｅｓｓ）が格納される。フレーム送信部１６は、現用系ＰＯＮインタフェース部７から出力されるフレームの優先度を、フレームに付与することができる。
【００３４】
フレーム受信部１７は、ＣＰＵ１３とは異なるハードウェアで構成されている。フレーム受信部１７は、例えば、ＭＵＸ／ＤＥＭＵＸ部１９から受信したデータ（例えば、現用系ＰＯＮインタフェース部７から受信したデータ）を、フレームとしてＤＭＡＣ１５へ転送する機能を持つハードウェア（例えば、集積回路）である。
【００３５】
図３に示される例では、フレーム送信部１６及びフレーム受信部１７は、ＭＵＸ／ＤＥＭＵＸ部１９に接続されている。
【００３６】
ＭＵＸ／ＤＥＭＵＸ部１９は、データの多重化及び分離（例えば、出力データの選択）を行う。
【００３７】
バス２０（外部バス）は、ＳＷ−ＩＦ部１０に接続されている。
【００３８】
図４は、ＯＬＴ１における通信経路の切り替え処理を示すフローチャートである。
図４を参照しながら、図１に示されるＰＯＮシステムにおける通信経路の切り替え処理（通信経路切替方法）について以下に説明する。
【００３９】
障害検出部１１は、ＰＯＮシステムにおける通信障害の監視を行う（ステップＳ１）。障害検出部１１は、随時、ＰＯＮシステムにおいて通信障害が発生しているかどうかを検出する（ステップＳ２）。通信障害が検出されない場合（ステップＳ２でＮＯ）、再び通信障害の監視を行う（ステップＳ１）。
【００４０】
例えば、複数の現用系ＰＯＮインタフェース部７のうちのＰＯＮ−ＩＦ部＃１の障害検出部１１が通信障害を検出したとき（ステップＳ２でＹＥＳ）、ＰＯＮ−ＩＦ部＃１（障害検出部１１）は、通信障害の発生を制御部６に通知する。制御部６は、ＰＯＮ−ＩＦ部＃１から通知を受けた後、現用系ＰＯＮインタフェース部７（ＰＯＮ−ＩＦ部＃１）及び予備系ＰＯＮインタフェース部９に対する切替通知を行う（ステップＳ３）。
【００４１】
制御部６は、予備系ＰＯＮインタフェース部９に異常があるかを判断する（ステップＳ４）。予備系ＰＯＮインタフェース部９に異常があるとき（ステップＳ４でＹＥＳ）、通信経路の切り替え処理を中止する（ステップＳ５）。予備系ＰＯＮインタフェース部９に異常がないとき（ステップＳ４でＮＯ）、処理はステップＳ６に進む。
【００４２】
ステップＳ６では、予備系ＰＯＮインタフェース部９の運用（通信経路の切り替え完了後の運用）が現用系ＰＯＮインタフェース部７（ＰＯＮ−ＩＦ部＃１）の運用（切り替え前の運用）と同じになるように、ＰＯＮ−ＩＦ部＃１は、ＰＯＮ−ＩＦ部＃１のメモリ１４に記憶されているデータ（引き継ぎデータ）をＤＭＡ方式で読み出し、予備系ＰＯＮインタフェース部９に向けて転送する。具体的には、通信制御部１８（第１の通信制御部）のＤＭＡＣ１５によってメモリ１４から読み出された引き継ぎデータは、フレーム送信部１６に伝達され、フレーム送信部１６によってフレームにカプセル化される。カプセル化されたフレームは、ＭＵＸ／ＤＥＭＵＸ部１９で複数の信号と多重化され、バス２０を介して予備系ＰＯＮインタフェース部９に送信される（ステップＳ６）。
【００４３】
ＰＯＮ−ＩＦ部＃１から受信したデータ（フレーム）は、予備系ＰＯＮインタフェース部９のＭＵＸ／ＤＥＭＵＸ部１９で振り分けられ、フレーム受信部１７に入力される。予備系ＰＯＮインタフェース部９のフレーム受信部１７は、受信したフレームが正常かどうかを確認する（ステップＳ７）。
【００４４】
受信したフレームに異常がある場合（ステップＳ７でＮＯ）、予備系ＰＯＮインタフェース部９は、ＰＯＮ−ＩＦ部＃１にＮＡＣＫ（Ｎｅｇａｔｉｖｅ  ＡＣＫｎｏｗｌｅｄｇｅｍｅｎｔ）を送信する（ステップＳ８）。フレームの異常とは、例えば、フレームの順序逆転及び欠落などである。
【００４５】
ＮＡＣＫを受信した現用系ＰＯＮインタフェース部７は、ＮＡＣＫの受信回数が予め定められた回数未満（例えば、Ｎ回未満；Ｎは、自然数）であれば（ステップＳ９でＮＯ）、ステップＳ６に戻り、フレームを予備系ＰＯＮインタフェース部９に再送する。ＮＡＣＫの受信回数が予め定められた回数以上（例えば、Ｎ回以上）であれば（ステップＳ９でＹＥＳ）、通信経路の切り替え処理を中止し、通信状態を切り替え処理の開始前の状態に戻す（ステップＳ１０）。
【００４６】
ステップＳ７において、受信したフレームが正常である場合（ステップＳ７でＹＥＳ）、予備系ＰＯＮインタフェース部９は、ＰＯＮ−ＩＦ部＃１にＡＣＫ（ＡＣＫｎｏｗｌｅｄｇｅｍｅｎｔ）を送信する。さらに、予備系ＰＯＮインタフェース部９において、通信制御部１８（第２の通信制御部）のフレーム受信部１７は、受信データ（すなわち、引き継ぎデータ）の内、メモリ１４に書き込むデータ（書き込みデータ）を抽出し、ＤＭＡＣ１５に伝達する。予備系ＰＯＮインタフェース部９において、ＤＭＡＣ１５は、フレーム受信部１７から伝達されたデータを、ＤＭＡ方式によってメモリ１４に書き込む（ステップＳ１１）。予備系ＰＯＮインタフェース部９は、メモリ１４にデータの書き込みを行った後、データ転送処理が完了したことを制御部６に通知する。
【００４７】
ステップＳ１２では、予備系ＰＯＮインタフェース部９のＣＰＵ１３は、メモリ１４に書き込まれたデータに基づいて、予備系ＰＯＮインタフェース部９の設定を行う。具体的には、予備系ＰＯＮインタフェース部９のＣＰＵ１３は、予備系ＰＯＮインタフェース部９内の各構成要素に対し、現用系ＰＯＮインタフェース部７（ＰＯＮ−ＩＦ部＃１）の設定と同じ設定を行う（ステップＳ１２）。予備系ＰＯＮインタフェース部９へのデータ転送及び設定完了後、予備系ＰＯＮインタフェース部９は、制御部６に対するデータ転送完了通知を行う。
【００４８】
データ転送完了通知を受信した制御部６は、切り替え対象の現用系ＰＯＮインタフェース部７（本実施の形態では、ＰＯＮ−ＩＦ部＃１）に発光停止通知を行い、ＰＯＮ−ＩＦ部＃１における発光（通信）を停止するように制御する。制御部６は、ＰＯＮ−ＩＦ部＃１の発光停止を確認した後、光スイッチ部８に切替通知を送信する。光スイッチ部８は、通信経路をＰＯＮ−ＩＦ部＃１から予備系ＰＯＮインタフェース部９に切り替える。同様に、ＳＷ−ＩＦ部１０も通信経路を切り替える（ステップＳ１３）。
【００４９】
制御部６は、予備系ＰＯＮインタフェース部９に発光開始通知を送信し、予備系ＰＯＮインタフェース部９は、発光（通信）を開始する。予備系ＰＯＮインタフェース部９は、メモリ１４に書き込まれた引き継ぎデータ（転送データ）に基づいて運用を行う（ステップＳ１４）。
【００５０】
以上に説明した工程により、通信経路の切り替え処理が完了する。
【００５１】
変形例．
図５は、変形例に係るＯＬＴ１ａ内における通信形態を概略的に示すブロック図である。
図５に示されるように、制御部６、現用系ＰＯＮインタフェース部７、及び予備系ＰＯＮインタフェース部９の接続方式は、スター型でもよい。この場合、現用系ＰＯＮインタフェース部７及び予備系ＰＯＮインタフェース部９は、制御部６を介して互いに通信可能に接続される。これにより、通信経路を切り替える際のデータ転送用のバスを、複数の現用系ＰＯＮインタフェース部７間で共有することができ、新たなバスが不要になる。
【００５２】
図６は、変形例に係るＯＬＴ１ａのＰＯＮ−ＩＦ部７ａ（現用系ＰＯＮインタフェース部及び予備系ＰＯＮインタフェース部の各々）の構成を概略的に示すブロック図である。
実施の形態１に係るＯＬＴ１のＰＯＮ−ＩＦ部と同様に、変形例に係るＯＬＴ１ａの現用系ＰＯＮインタフェース部及び予備系ＰＯＮインタフェース部の構成（構成要素）は互いに同じである。変形例に係るＯＬＴ１ａのＰＯＮ−ＩＦ部７ａでは、ＣＰＵ１３からの信号と通信制御部１８からの信号とが、ＭＵＸ／ＤＥＭＵＸ部１９で多重化される点が実施の形態１に係るＯＬＴ１のＰＯＮ−ＩＦ部（現用系ＰＯＮインタフェース部７及び予備系ＰＯＮインタフェース部９）と異なり、その他の点は、実施の形態１と同じである。
【００５３】
ＰＯＮ−ＩＦ部７ａにおいて、変形例に係るＯＬＴ１ａのＰＯＮ−ＩＦ部７ａから転送される引き継ぎデータのフレームに優先度を付与してもよい。さらに、フレーム転送中は、互いに同じバス２０を介して通信を行う構成要素に、通信を行わないように指示する通信停止指示及び通信停止を解除する解除指示を出してもよい。
【００５４】
実施の形態１に係るＯＬＴ１（変形例に係るＯＬＴ１ａを含む）の効果について以下に説明する。
【００５５】
上述のように、実施の形態１によれば、通信経路の切り替え処理の際、現用系ＰＯＮインタフェース部７において、ＣＰＵ１３がデータ転送の指示を出した後、ＣＰＵ１３とは異なるハードウェアで構成された通信制御部１８がデータ転送の処理（引き継ぎデータの読み出し及び転送）を行うため、ＣＰＵ１３は、他のタスク処理を行うことができる。同様に、予備系ＰＯＮインタフェース部９において、ＣＰＵ１３の代わりに通信制御部１８（具体的には、ＤＭＡＣ１５）が引き継ぎデータの書き込みを行うため、ＣＰＵ１３は、他のタスク処理を行うことができる。
【００５６】
比較例としてのＰＯＮシステムにおいて、例えば、ＣＰＵがデータ転送の処理を行う場合、現用系ＰＯＮインタフェース部のＣＰＵがメモリから引き継ぎデータを読み出し、予備系ＰＯＮインタフェース部のＣＰＵが、受信した引き継ぎデータから情報を読み取り、読み取った情報をメモリに書き込む。さらに、予備系ＰＯＮインタフェース部のＣＰＵは、メモリに書き込まれた情報に基づいて、予備系ＰＯＮインタフェース部内の各構成要素に対し、現用系ＰＯＮインタフェース部の設定と同じ設定を行う。この場合、通信経路の切り替え処理（データ転送から設定完了までの処理）の一連の作業が、ＣＰＵ、すなわち、ソフトウェア処理によって実現されるため、ＣＰＵに対する負荷が大きく、切り替え処理が完了するまでに時間を要する。
【００５７】
これに対し、実施の形態１によれば、ＣＰＵ１３とは異なる少なくとも１つのハードウェアで構成された通信制御部１８（例えば、ＤＭＡＣ１５）が、現用系ＰＯＮインタフェース部７と予備系ＰＯＮインタフェース部９との間のデータ転送の処理を行うので、通信経路の切り替え処理の時間を短縮することができる。すなわち、通信経路の切り替え処理において、引き継ぎデータの転送時間を短縮し、現用系ＰＯＮインタフェース部７から予備系ＰＯＮインタフェース部９への迅速な通信経路の切り替えが可能となる。
【００５８】
実施の形態２．
図７は、実施の形態２に係るＯＬＴのＰＯＮ−ＩＦ部７ｂ（現用系ＰＯＮインタフェース部及び予備系ＰＯＮインタフェース部の各々）の構成を概略的に示すブロック図である。ＰＯＮ−ＩＦ部７ｂは、実施の形態１に係るＯＬＴ１のＰＯＮ−ＩＦ部＃１，＃２，…，及び＃Ｎ＋１の各々（すなわち、現用系ＰＯＮインタフェース部７及び予備系ＰＯＮインタフェース部９の各々）に対応する。実施の形態１に係るＯＬＴ１のＰＯＮ−ＩＦ部と同様に、実施の形態２に係るＯＬＴの現用系ＰＯＮインタフェース部及び予備系ＰＯＮインタフェース部の構成（構成要素）は互いに同じである。実施の形態２に係るＯＬＴは、実施の形態１に係るＯＬＴ１の代わりに図１に示されるＰＯＮシステムに適用可能である。
【００５９】
実施の形態２において、実施の形態１で説明した構成要素と同一又は対応する構成要素には、実施の形態１で説明した構成要素と同じ符号を用いて説明する。
【００６０】
ＰＯＮ−ＩＦ部７ｂは、障害検出部１１と、光送受信器１２と、ＣＰＵ１３と、メモリ１４と、通信制御部１８と、ＭＵＸ／ＤＥＭＵＸ部１９と、バス２０と、管理部２１（監視部）と、フレーム生成部２２とを有する。すなわち、ＰＯＮ−ＩＦ部７ｂは、管理部２１と、フレーム生成部２２とを有する点で実施の形態１に係るＯＬＴ１のＰＯＮ−ＩＦ部と異なる。ただし、ＰＯＮ−ＩＦ部７ｂでは、ＣＰＵ１３及びフレーム生成部２２からの信号と通信制御部１８からの信号とが、ＭＵＸ／ＤＥＭＵＸ部１９で多重化される。予備系ＰＯＮインタフェース部と光スイッチ部８とは、制御線を介して互いに通信可能である。
【００６１】
制御部６は、ＯＬＴ内の各構成要素が正常に動作しているかどうかを確認するための信号の送受信を周期的に行っている。
【００６２】
管理部２１は、制御部６から周期的に送信される信号（管理信号）を受信することにより、制御部６の状態を監視する。
【００６３】
フレーム生成部２２は、各種のフレームを生成する。例えば、管理部２１が制御部６の故障を検出したときに、フレーム生成部２２は、制御部６が故障したことを通知するイーサネット（登録商標）フレームである故障通知フレームを生成する。故障通知フレームには、制御部６の故障を通知するための予め定められた特定のＳＡ、及びタイプが格納される。いずれかのＰＯＮ−ＩＦ部７ｂからＳＷ−ＩＦ部１０に故障通知フレームが送信されると、故障通知フレームを受信したＳＷ−ＩＦ部１０は、全てのＰＯＮ−ＩＦ部７ｂ（現用系ＰＯＮインタフェース部及び予備系ＰＯＮインタフェース部）に故障通知フレームを送信する。
【００６４】
ＳＷ−ＩＦ部１０から故障通知フレームを受信した現用系ＰＯＮインタフェース部は、通信経路の切り替え処理を予備系ＰＯＮインタフェース部が行うと判断する。なお、故障通知フレームを送信したＰＯＮ−ＩＦ部７ｂは、制御部６の復旧後に制御部６から信号を受信したときに、制御部６が復旧したことを通知するイーサネット（登録商標）フレームである故障復旧通知フレームを、ＳＷ−ＩＦ部１０を介して全てのＰＯＮ−ＩＦ部７ｂに送信する。
【００６５】
図８は、実施の形態２に係るＯＬＴにおける通信経路の切り替え処理を示すフローチャートである。
【００６６】
現用系ＰＯＮインタフェース部（本実施の形態では、ＰＯＮ−ＩＦ部＃１）の管理部２１は、制御部６からの受信信号を監視する（ステップＳ２１）。
【００６７】
ＰＯＮ−ＩＦ部＃１の管理部２１は、制御部６からの受信信号の受信間隔を計測しており、一定時間ｔ１（予め定められた時間間隔）の経過前に制御部６から信号を受信していることを確認し（ステップＳ２２でＮＯ）、制御部６からの受信信号の監視を継続する（ステップＳ２１に戻る）。
【００６８】
ＰＯＮ−ＩＦ部＃１の管理部２１は、制御部６からの受信信号（管理信号）の受信間隔を計測し、一定時間ｔ１以上、制御部６からの信号（管理信号）を受信できない場合、制御部６が故障していると判断する（ステップＳ２２でＹＥＳ）。
【００６９】
ＰＯＮ−ＩＦ部＃１の管理部２１が制御部６の故障の発生を検出したとき、ＰＯＮ−ＩＦ部＃１は、制御部６の故障の発生を、予備系ＰＯＮインタフェース部に通知する（ステップＳ２３）。
【００７０】
例えば、ＰＯＮ−ＩＦ部＃１において、管理部２１が制御部６の故障を検出したときに、フレーム生成部２２は、故障通知フレームを生成する。ＰＯＮ−ＩＦ部＃１からＳＷ−ＩＦ部１０に故障通知フレームが送信されると、故障通知フレームを受信したＳＷ−ＩＦ部１０は、全てのＰＯＮ−ＩＦ部７ｂ（現用系ＰＯＮインタフェース部及び予備系ＰＯＮインタフェース部）に故障通知フレームを送信する。
【００７１】
ステップＳ２１〜Ｓ２３において、予備系ＰＯＮインタフェース部の管理部２１が、制御部６から送信される信号の受信間隔を計測し、制御部６の故障を判断してもよい。
【００７２】
現用系の各ＰＯＮ−ＩＦ部７ｂの障害検出部１１は、ＰＯＮシステムにおける通信障害の監視を行っている（ステップＳ２４）。通信障害が検出されない場合（ステップＳ２５でＮＯ）、再び通信障害の監視を行う（ステップＳ２４）。
【００７３】
障害検出部１１が、通信障害を検出すると、通信障害を検出したＰＯＮ−ＩＦ部７ｂ（例えば、障害検出部１１）は、通信障害の発生を予備系ＰＯＮインタフェース部に通知する（ステップＳ２５でＹＥＳ）。
【００７４】
予備系ＰＯＮインタフェース部は、障害の発生を検出したＰＯＮ−ＩＦ部７ｂの内から切替処理の対象となるＰＯＮ−ＩＦ部７ｂを選択し、切替許可通知（切替許可通知の送信）を行う（ステップＳ２６）。これにより、切替許可通知を受けたＰＯＮ−ＩＦ部７ｂが通信経路の切替処理の対象となるので、複数の現用系ＰＯＮインタフェース部が同時に故障したときに、重複切替を回避することができる。
【００７５】
ステップＳ２７で、切り替え対象の現用系ＰＯＮインタフェース部と予備系ＰＯＮインタフェース部との間で切り替え処理が実行される。ステップＳ２７における切り替え処理は、図４に示されるステップＳ６からＳ１４までの処理と同じである。
【００７６】
実施の形態２に係るＯＬＴによれば、実施の形態１に係るＯＬＴ１（変形例を含む）と同様の効果を有する。
【００７７】
実施の形態１では、通信障害が発生したときの切替通知を制御部６が行うが（ステップＳ３）、実施の形態２では、通信障害が発生したときに予備系ＰＯＮインタフェース部が切替許可通知を行う（ステップＳ２６）。これにより、制御部６に障害が発生して機能しない場合であっても、通信障害が発生したときに予備系ＰＯＮインタフェース部が主導して通信経路の切り替え処理を開始させることができる。したがって、光ファイバ（例えば、幹線光ファイバ４ａ）及び光送受信器１２における障害などによる多重障害が発生した場合であっても、予備系ＰＯＮインタフェース部が切り替え対象のＰＯＮ−ＩＦ部７ｂを選択するので、複数の回線における重複切替を回避することができる。
【００７８】
さらに、実施の形態２に係るＯＬＴによれば、制御部６が故障している期間のみに、通信経路の切り替え処理の開始（例えば、切替許可通知の送信）を予備系ＰＯＮインタフェース部に主導させることができるので、ＰＯＮシステムにおける主信号断を最優先で回避することができる。
【００７９】
実施の形態３．
図９は、実施の形態３に係るＯＬＴの予備系ＰＯＮインタフェース部９ａの構成を概略的に示すブロック図である。予備系ＰＯＮインタフェース部９ａは、実施の形態１に係るＯＬＴ１の予備系ＰＯＮインタフェース部９（ＰＯＮ−ＩＦ部＃Ｎ＋１）に対応する。実施の形態３に係るＯＬＴの現用系ＰＯＮインタフェース部は、実施の形態１に係るＯＬＴ１の現用系ＰＯＮインタフェース部７と同じである。実施の形態３に係るＯＬＴは、実施の形態１に係るＯＬＴ１の代わりに図１に示されるＰＯＮシステムに適用可能である。
【００８０】
実施の形態３において、実施の形態１で説明した構成要素と同一又は対応する構成要素には、実施の形態１で説明した構成要素と同じ符号を用いて説明する。
【００８１】
予備系ＰＯＮインタフェース部９ａは、障害検出部１１と、光送受信器１２と、ＣＰＵ１３と、メモリ１４ａと、通信制御部１８と、ＭＵＸ／ＤＥＭＵＸ部１９と、バス２０と、管理部２１と、フレーム生成部２２とを有する。すなわち、予備系ＰＯＮインタフェース部９ａのメモリ１４ａの構成が、実施の形態１に係るＯＬＴ１の予備系ＰＯＮインタフェース部９のメモリ１４の構成と異なる。さらに、予備系ＰＯＮインタフェース部９ａは、実施の形態２で説明した管理部２１及びフレーム生成部２２を有する。これらの点以外は、実施の形態１と同じである。
【００８２】
メモリ１４ａは、各現用系ＰＯＮインタフェース部７のデータ（引き継ぎデータ）を記憶する。メモリ１４ａは、少なくとも１つのメモリ領域１４ｂを有する。すなわち、メモリ領域１４ｂに現用系ＰＯＮインタフェース部７のデータが格納される。本実施の形態では、メモリ１４ａは、現用系ＰＯＮインタフェース部７の数と同じ数の複数のメモリ領域１４ｂ（＃１，＃２，…，＃Ｎ）を有する。すなわち、各メモリ領域１４ｂに、対応する各現用系ＰＯＮインタフェース部７のデータが格納される。
【００８３】
実施の形態３では、各現用系ＰＯＮインタフェース部７から、一定時間ごとに各現用系ＰＯＮインタフェース部７の引き継ぎデータが予備系ＰＯＮインタフェース部９ａに転送され、予備系ＰＯＮインタフェース部９ａのメモリ１４ａのメモリ領域１４ｂ（各現用系ＰＯＮインタフェース部７に関連付けられたメモリ領域１４ｂ）に書き込まれる（以下、引き継ぎデータの転送処理という）。引き継ぎデータの転送処理について具体的に以下に説明する。
【００８４】
図１０は、引き継ぎデータの転送処理を示すフローチャートである。
【００８５】
制御部６は、各現用系ＰＯＮインタフェース部７に対して一定時間ごとにデータ転送（引き継ぎデータの転送処理）を指示する（ステップＳ３１）。データ転送の指示は、現用系ＰＯＮインタフェース部７ごとに異なるタイミングで行ってもよい。
【００８６】
制御部６から指示を受けた現用系ＰＯＮインタフェース部７は、メモリ１４に記憶されているデータ（引き継ぎデータ）をＤＭＡ方式で読み出し、予備系ＰＯＮインタフェース部９ａに送信する（ステップＳ３２）。ステップＳ３２における具体的な処理は、図４に示されるステップＳ６における処理と同じである。制御部６から指示を受けた現用系ＰＯＮインタフェース部７は、一定時間ごとに引き継ぎデータを転送するので、前回送信されたデータとの差分のデータを新たな引き継ぎデータとして予備系ＰＯＮインタフェース部９ａに送信してもよい。
【００８７】
予備系ＰＯＮインタフェース部９ａは、受信したフレームが正常かどうかを確認する（ステップＳ３３）。
【００８８】
受信したフレームに異常がある場合（ステップＳ３３でＮＯ）、予備系ＰＯＮインタフェース部９ａは、データを送信した現用系ＰＯＮインタフェース部７にＮＡＣＫを送信する（ステップＳ３４）。
【００８９】
ＮＡＣＫを受信した現用系ＰＯＮインタフェース部７は、ＮＡＣＫの受信回数が予め定められた回数未満（例えば、Ｎ回未満；Ｎは、自然数）であれば（ステップＳ３５でＮＯ）、ステップＳ３２に戻り、フレーム（引き継ぎデータ）を予備系ＰＯＮインタフェース部９ａに再送する。ＮＡＣＫの受信回数が予め定められた回数以上（例えば、Ｎ回以上）であれば（ステップＳ３５でＹＥＳ）、制御部６は、ＮＡＣＫを受信した現用系ＰＯＮインタフェース部７の初期設定（初期化）を行う（ステップＳ３６）。
【００９０】
ステップＳ３３において、受信したフレームが正常である場合（ステップＳ３３でＹＥＳ）、予備系ＰＯＮインタフェース部９ａは、ステップＳ３２で引き継ぎデータを送信した現用系ＰＯＮインタフェース部７にＡＣＫを送信する。さらに、予備系ＰＯＮインタフェース部９ａのフレーム受信部１７は、受信データ（すなわち、引き継ぎデータ）の内、メモリ１４ａに書き込むデータ（書き込みデータ）を抽出し、ＤＭＡＣ１５に伝達する。ＤＭＡＣ１５は、フレーム受信部１７から伝達されたデータをメモリ１４ａのいずれかのメモリ領域１４ｂに書き込む（ステップＳ３７）。予備系ＰＯＮインタフェース部９ａは、メモリ１４ａにデータの書き込みを行った後、データ転送処理が完了したことを制御部６に通知する。
【００９１】
図１１は、実施の形態３に係るＯＬＴにおける通信経路の切り替え処理を示すフローチャートである。
ステップＳ４１からＳ４５までの処理は、図４に示されるステップＳ１からＳ５までの処理と同じである。
【００９２】
ステップＳ４６では、予備系ＰＯＮインタフェース部９ａのＣＰＵ１３は、切り替え対象の現用系ＰＯＮインタフェース部７のデータ（引き継ぎデータ）を、切り替え対象の現用系ＰＯＮインタフェース部７に関連付けられたメモリ領域１４ｂから読み出す（ステップＳ４６）。
【００９３】
ステップＳ４７では、予備系ＰＯＮインタフェース部９ａのＣＰＵ１３は、メモリ領域１４ｂから読み出されたデータに基づいて、予備系ＰＯＮインタフェース部９ａの設定を行う。具体的には、予備系ＰＯＮインタフェース部９ａのＣＰＵ１３は、予備系ＰＯＮインタフェース部９ａ内の各構成要素に対し、切り替え対象の現用系ＰＯＮインタフェース部７の設定と同じ設定を行う（ステップＳ４７）。設定完了後、予備系ＰＯＮインタフェース部９ａは、制御部６に設定完了通知を行う。
【００９４】
設定完了通知を受信した制御部６は、切り替え対象の現用系ＰＯＮインタフェース部７に発光停止通知を行い、その現用系ＰＯＮインタフェース部７における発光（通信）を停止するように制御する。制御部６は、切り替え対象の現用系ＰＯＮインタフェース部７の発光停止を確認した後、光スイッチ部８に切替通知を送信する。光スイッチ部８は、通信経路を切り替え対象の現用系ＰＯＮインタフェース部７から予備系ＰＯＮインタフェース部９ａに切り替える。同様に、ＳＷ−ＩＦ部１０も通信経路を切り替える（ステップＳ４８）。
【００９５】
制御部６は、予備系ＰＯＮインタフェース部９ａに発光開始通知を送信し、予備系ＰＯＮインタフェース部９ａは、発光（通信）を開始し、メモリ１４ａに書き込まれた引き継ぎデータ（転送データ）に基づいて運用を行う（ステップＳ４９）。
【００９６】
以上に説明した工程により、通信経路の切り替え処理が完了する。
【００９７】
実施の形態３に係るＯＬＴによれば、実施の形態１に係るＯＬＴ１（変形例を含む）と同様の効果を有する。
【００９８】
さらに、実施の形態３に係るＯＬＴによれば、通信経路の切り替え処理を行う前に、予め各現用系ＰＯＮインタフェース部７の引き継ぎデータが予備系ＰＯＮインタフェース部９ａのメモリ１４ａに書き込まれるので、現用系ＰＯＮインタフェース部７における引き継ぎデータの読み出しから予備系ＰＯＮインタフェース部９ａにおけるデータの書き込みまでの時間を短縮することができる。これにより、通信経路の切り替え処理の時間を短縮することができ、現用系ＰＯＮインタフェース部７から予備系ＰＯＮインタフェース部９ａへの迅速な通信経路の切り替えが可能となる。
【００９９】
以上に説明した各実施の形態における特徴及び変形例における特徴は、互いに適宜組み合わせることができる。
【符号の説明】
【０１００】
１，１ａ  ＯＬＴ、  ２  ＯＮＵ、  ３  光スプリッタ、  ４  光ファイバ、  ４ａ  幹線光ファイバ、  ４ｂ  支線光ファイバ、  ６  制御部、  ７，７ａ，７ｂ  現用系ＰＯＮインタフェース部、  ８  光スイッチ部、  ８ａ  光スプリッタ、  ８ｂ  光スイッチ、  ９，９ａ  予備系ＰＯＮインタフェース部、  １０  ＳＷ−ＩＦ部、  １１  障害検出部、  １２  光送受信器、  １３  ＣＰＵ、  １４，１４ａ  メモリ、  １４ｂ  メモリ領域、  １５  ＤＭＡＣ、  １６  フレーム送信部、  １７  フレーム受信部、  １８  通信制御部、  １９  ＭＵＸ／ＤＥＭＵＸ部、  ２０  バス、  ２１  管理部、  ２２  フレーム生成部。
【図１】
2018014621.tif 000003
【図２】
2018014621.tif 000004
【図３】
2018014621.tif 000005
【図４】
2018014621.tif 000006
【図５】
2018014621.tif 000007
【図６】
2018014621.tif 000008
【図７】
2018014621.tif 000009
【図８】
2018014621.tif 000010
【図９】
2018014621.tif 000011
【図１０】
2018014621.tif 000012
【図１１】
2018014621.tif 000013